(57)【要約】【課題】一升瓶などの液体容器に充填された内容物たる液体を、安全かつ容易にコップ等に注入することができる液体容器の注入補助具を提供することを課題とする。【解決手段】液体容器の注入補助具１は、側面に把持部２を設けた筒状体３の上端開口９を下端開口５より小さく形成し、前記下端開口５に底部材４を係合可能とする。また、液体容器の注入補助具１は、把持部２が前記上端開口９の近傍に配設され、該把持部２の上端に突起13が設けられる。さらに、液体容器の注入補助具１は、筒状体３の内面形状を一升瓶12の外形形状に適合させることにより上記の課題を解決する。【選択図】図２
0003117927.tif 000002
【実用新案登録請求の範囲】
【請求項１】
側面に把持部を設けた筒状体の上端開口を下端開口より小さく形成し、前記下端開口に底部材を係合可能としたことを特徴とする液体容器の注入補助具。
【請求項２】
前記上端開口が前記筒状体の筒壁に対して斜めに形成されていることを特徴とする請求項１記載の液体容器の注入補助具。
【請求項３】
前記把持部が前記上端開口の近傍に配設され、該把持部の上端に突起が設けられたことを特徴とする請求項１または２記載の液体容器の注入補助具。
【請求項４】
前記筒状体および底部材が合成樹脂材料からなることを特徴とする請求項１〜３のいずれか１項に記載の液体容器の注入補助具。
【請求項５】
前記筒状体の内面形状を一升瓶の外形形状に適合させたことを特徴とする請求項１〜４のいずれか１項に記載の液体容器の注入補助具。
【考案の詳細な説明】
【技術分野】
【０００１】
本考案は、一升瓶などの液体容器から内容物である液体をコップ等に注入する際に好適な液体容器の注入補助具に関する。
【背景技術】
【０００２】
一升瓶などの液体容器に充填された内容物たる日本酒や焼酎をコップ等に直接注ぐ機会は少なくない。一升瓶に内容物が充填されていると、片手で持つには重すぎる上、形状的にも片手で把持してコップ等に内容物を安定的に注ぐことは困難であった。
【０００３】
また、一升瓶に充填された液体、たとえば日本酒や焼酎を冷やした後、卓上に載置しておくと冷やした日本酒や焼酎は室温まで温度上昇してしまう。そのことを防止するため、従来は瓶に断熱材からなる外容器を被せ、温度上昇を防止するとともに外容器に設けた把持部を持ってコップ等に注入することもできる取手付保温容器が提案されている（例えば、特許文献１〜３参照）。
【特許文献１】実開昭５８−１１８９８５号公報
【特許文献２】実開昭６１−７２２８４号公報
【特許文献３】実開昭６３−３３８７２号公報
【考案の開示】
【考案が解決しようとする課題】
【０００４】
しかし、従来技術である上記取手付保温容器は、あくまでも一升瓶など液体容器内の充填物を保温若しくは保冷するためのものであり、一升瓶などに充填された液体をコップ等に注ぎ易くするものではなかった。そのため、保温容器を一升瓶に装着した場合において、一升瓶などに充填された液体をコップ等に安全に注入できる配慮に欠けていた。また、保温容器を一升瓶に装着した後の美観も悪くなり、広く普及する障害となっていた。
【０００５】
本考案は上記の事情に鑑みてなされたものであり、一升瓶など液体容器に充填された内容物たる液体を、安全かつ容易にコップ等に注入することができる液体容器の注入補助具を提供することを目的とする。
【課題を解決するための手段】
【０００６】
請求項１記載の考案は、側面に把持部を設けた筒状体の上端開口を下端開口より小さく形成し、前記下端開口に底部材を係合可能としたことを特徴とするものである。
【０００７】
請求項２記載の考案は、請求項１記載の液体容器の注入補助具において、前記上端開口が前記筒状体の筒壁に対して斜めに形成されていることを特徴とするものである。
【０００８】
請求項３記載の考案は、請求項１または２記載の液体容器の注入補助具において、前記把持部が前記上端開口の近傍に配設され、該把持部の上端に突起が設けられたことを特徴とするものである。
【０００９】
請求項４記載の考案は、請求項１〜３のいずれか１項に記載の液体容器の注入補助具において、前記筒状体および底部材が合成樹脂材料からなることを特徴とするものである。
【００１０】
請求項５記載の考案は、請求項１〜４のいずれか１項に記載の液体容器の注入補助具において、前記筒状体の内面形状を一升瓶の外形形状に適合させたことを特徴とするものである。
【考案の効果】
【００１１】
本考案における請求項１の液体容器の注入補助具によれば、側面に把持部を設けた筒状体の上端開口を下端開口より小さく形成したので、コップ等に液体を注入する際に液体容器が注入補助具から脱落することがない。また、下端開口に底部材を係合可能としたので、液体容器への注入補助具の取り付け、取り外しが容易になる。さらに、把持部を片手で把持することにより、コップ等に安全確実に液体を注入することができる。
【００１２】
本考案における請求項２の液体容器の注入補助具によれば、上端開口が前記筒状体の筒壁に対して斜めに形成されているので、液体容器たる瓶の上部に貼付されている銘柄ラベルが液体容器の注入補助具により隠れることがない。したがって、液体容器に注入補助具を装着した後であっても、銘柄ラベルを視認できることから、内容物の確認が容易になる。
【００１３】
本考案における請求項３の液体容器の注入補助具によれば、把持部が前記上端開口の近傍に配設され、該把持部の上端に突起が設けられているので、この突起に手の親指を当接することにより、コップ等に液体を注入する際に液体容器の傾き加減を微妙にコントロールすることができる。その結果、液体注入量の微調整が可能となる。
【００１４】
本考案における請求項４の液体容器の注入補助具によれば、筒状体および底部材が合成樹脂材料からできているので、軽量で取扱い易い液体容器の注入補助具を実現できる。
【００１５】
本考案における請求項５の液体容器の注入補助具によれば、筒状体の内面形状を一升瓶の外形形状に適合させたことから、一升瓶のように形状の大きな瓶であっても、内容物をコップ等に安全確実に注入することができる。
【考案を実施するための最良の形態】
【００１６】
以下、本考案を実施するための形態について、図面に基づいて説明する。図１は本考案の実施例である液体容器の注入補助具を示す外観斜視図であり、図２は同縦断面図である。また、図３は図２中のＡ−Ａ矢視図であり、図４は底部材の側面図および平面図である。
【００１７】
液体容器の注入補助具１は、側面に把持部２を設けた筒状体３と、これに係合する底部材４とからなる。筒状体３と底部材４とは、筒状体３の下端開口５において係合可能なように、筒状体３の下端開口５には係合溝６が設けられている。係合溝６は筒状体３の下端開口５の周囲４箇所に設けられ、各係合溝６の一方の側には底部材４の係合突部７を係合溝６に導入するための切欠き８が設けられている。ここで、係合溝６の溝高さＨは、切欠き８近傍が大きな寸法とされ、切欠き８から離れるにしたがって小さな寸法とされている。すなわち、係合溝６の高さＨは切欠き８近傍が大きく、切欠き８から離れるにしたがって小さくなる緩い楔形状とされている。
【００１８】
筒状体３の上端開口９は下端開口５より小さく形成され、前記筒状体３の筒壁11に対して斜めに設けられている。筒状体３の内面形状は一升瓶12の外形形状に適合したものとされている。具体的には筒状体３の内面形状が一升瓶12の外形形状より若干大きな寸法で製作されている。筒状体３の上端開口９は筒状体３の筒壁11に対して斜めに形成されるとともに、一升瓶12の外形寸法より小さな寸法とされている。また、筒状体３の高さは、筒状体３を一升瓶12に装着した場合において、下端開口５の位置が一升瓶12の底面より突出する寸法とされる。より詳細には、筒状体３の下端開口５に設けられた係合溝６の位置が一升瓶12の底面位置より僅かに突出するようにされる。
【００１９】
筒状体３の上端開口９の近傍には把持部２が配設され、該把持部２の上端には突起13が設けられている。この突起13は扁平な形状を有し、把持部２の最上部から上方へ突出している。
【００２０】
底部材４は、その側面視および平面視を図４に示すように、円板形状の周囲４箇所に係合突部７を設けたものである。係合突部７の幅ｗは、筒状体３の切欠き８の幅Ｗより若干小さな寸法とされている。また、係合突部７の長さｄは、筒状体３の切欠き８の長さＤより若干小さな寸法とされている。さらに、係合突部７の高さｈは、筒状体３の係合溝６の切欠き８近傍の高さ寸法より若干小さな寸法とされ、係合溝６の切欠き８から離れた部位の高さ寸法より大きな寸法とされている。
【００２１】
次に、本考案に係る液体容器の注入補助具１の使用方法について説明する。まず、筒状体３の下端開口５を一升瓶12の注ぎ口に合わせて液体容器たる一升瓶12に被せる。次に底部材４の周囲に設けられた係合突部７を筒状体３の下端開口５に設けられた切欠き８に合わせて挿入した後、底部材４を係合溝６側に回転させる。このとき係合溝６の高さＨは、緩やかな楔形状になっており、係合溝６の切欠き８近傍は底部材４の係合突部７の高さｈより大きな寸法であることから、係合突部７は容易に係合溝６に挿入される。しかし、底部材４を周方向に回転させると、係合溝６の高さ寸法は切欠き８部から離れるにしたがって小さくなるため、底部材４の係合突部７が係合溝６に係合して止まることになる。このようにして筒状体３と底部材４は簡単な操作で一体化することができ、底部材４を逆方向に回転させない限り底部材４が筒状体３から脱落することがない。
【００２２】
筒状体３と底部材４が一体化された後では、筒状体３に設けられた把持部２を把持することにより、一升瓶12も一体として保持することができる。すなわち、本実施例によれば、図５に示すように液体容器の注入補助具１を片手で把持して液体をコップ14等に注ぐ場合、利き手である片手の人差し指から小指にかけての４本の指により把持部２を把持し、残りの親指の腹を突起13の扁平面に当接する。そうすると、利き手の人差し指から小指にかけての４本の指と親指とで把持部２を安定的に把持することができる。したがって、液体容器の注入補助具１を用いて一升瓶12内の液体をコップ14に注入する場合、一升瓶12の傾き加減を微妙に変化させることができ、安全かつ確実に液体を注入することが可能となる。
【００２３】
なお、液体容器12に注入補助具１を装着した状態において、液体容器12内の液体が空になった場合には、液体容器12から注入補助具１を取り外す必要がある。具体的には筒状体３の下端開口５に係合されている底部材４の係合を解いて底部材４を筒状体３から取り外す。その後、筒状体３を上方に持ち上げて液体容器12から取り外すことができる。このようにして液体容器12の内容物が空になった場合には、簡単な操作により液体容器12に注入補助具１を着脱することができる。
【００２４】
また、本考案に係る液体容器の注入補助具１は、筒状体３および底部材４とも合成樹脂材料から製作される。具体的には、ポリプロピレンで製作される。その結果、丈夫かつ軽量で取扱性に優れた液体容器の注入補助具１を実現することができる。また、ポリプロピレンは耐熱温度１２０℃、耐冷温度−２０℃の温度特性を有することから、熱燗の日本酒や０℃近くまで冷やした冷酒であっても何ら支障なく使用することができる。
【００２５】
以上、本考案を実施例に基づいて説明したが、本考案は上記した実施例に限定されるものではなく、種々の変形実施をすることができる。例えば、上記の実施例では筒状体３と底部材４との係合箇所を周囲４箇所とした例について説明したが、係合箇所は周囲４箇所に限定されるものではなく、複数箇所であれば何箇所でも構わない。また、何らかの誤操作により筒状体３から底部材４が脱落するのを防止するため、筒状体３と底部材４との係合箇所に脱落防止ピンを装着することもできる。さらに、筒状体３と底部材４との係合方法は他の方法であってもよい。例えば、ねじにより筒状体３と底部材４とを係合することとしてもよい。
【図面の簡単な説明】
【００２６】
【図１】本考案の実施例を示す外観斜視図である。
【図２】本考案の実施例を示す同縦断面図である。
【図３】図２中のＡ−Ａ矢視図である。
【図４】底部材の平面図および側面図である。
【図５】本考案による液体容器の注入補助具の使用状況を示す斜視図である。
【符号の説明】
【００２７】
１  液体容器の注入補助具（注入補助具）
２  把持部
３  筒状体
４  底部材
５  下端開口
９  上端開口
11  筒壁
12  液体容器（一升瓶）
13  突起
【図１】
0003117927.tif 000003
【図２】
0003117927.tif 000004
【図３】
0003117927.tif 000005
【図４】
0003117927.tif 000006
【図５】
0003117927.tif 000007